(57)【要約】【課題】点検、修理を精度良くしかも迅速に行うことができる空気調和機を提供する。【解決手段】室外機６を制御すると共にデータを通信線９を介して室内機４に送信する室外機制御部７と、室内機４を制御すると共に室外機６からデータを受信すると、リモコン１へデータを送信する室内機制御部５と、室内機４とデータを送・受信するリモコン制御部３と、リモコン１に設けられると共に使用者によって操作される仕様確認手段２と、表示部１０とを備え、室外機制御部７と室内機制御部５の少なくともいずれか一方に、空調システムの仕様、室外機６や室内機４の機種名、型番などの仕様情報を予め記憶させておき、仕様確認手段２を操作すると表示部１０に仕様情報を表示させるもので、サービスマンが点検や修理を行う際に、仕様確認手段２を操作して、その空調システムの仕様や、室内機、室外機の機種名等を知ることができるので、点検、修理を迅速に行うことができる。【選択図】図１
2013002725.tif 000002
【特許請求の範囲】
【請求項１】
室外機を制御すると共にデータを通信線を介して室内機に送信する室外機制御部と、前記室内機を制御すると共に前記室外機からデータを受信すると、リモコンへデータを送信する室内機制御部と、前記室内機とデータを送・受信するリモコン制御部と、前記リモコンに設けられると共に使用者によって操作される仕様確認手段と、表示部とを備え、前記室外機制御部と前記室内機制御部の少なくともいずれか一方に、空調システムの仕様、前記室外機や前記室内機の機種名、型番などの仕様情報を予め記憶させておき、前記仕様確認手段を操作すると前記表示部に前記仕様情報を表示させるようにしたことを特徴とする空気調和機。
【請求項２】
空気調和機のリモコンに、操作したときに、表示部に異常点検箇所を表示させるための異常点検手段を設けたことを特徴とする請求項１に記載の空気調和機。
【発明の詳細な説明】
【技術分野】
【０００１】
本発明は、空気調和機に関するものである。
【背景技術】
【０００２】
従来の空気調和機においては、室内機に設定温度などの指示を与えるべく指示データを送信するリモコンを備え、異常内容に対応した異常コードを表示する異常コード表示部が設けられている。異常コード表示部は、リモコンに設けられ、リモコンから室内機に異常コード表示要求信号を送信した際に、室内機からリモコンへ異常データを送信し、その異常データを受信したリモコンは、異常データを元に異常データ表示部に異常コードを表示するようになっていた（例えば、特許文献１参照）。
【０００３】
図３は、上記特許文献１に記載された従来の空気調和機の構成ブロック図を示すものである。
【０００４】
図３に示すように、従来の空気調和機の室外機３０には、室外機３０の各部の故障を認識して、その故障データを室内機２０に配したシステム側制御部２５に送信する室外故障原因認識部３１が設けられ、室内機２０には、室内機２０内の故障を認識して、その故障データを、システム側制御部２５に送信する室内故障原因認識部２１と、リモコン１９からの指示データを受信すると共にそれをシステム側制御部２５に送信する室内機側受信部２２と、故障に関するデータをリモコン１９へ送信する室内機側送信部２３とが設けられている。
【０００５】
そして、リモコン１９は、内部に設けられた複数の操作キー（操作部）１１ａを有する操作部分１１と、複数の表示部１２ａと時間を表示する表示部１２ｂを有する表示パネル１２と、操作キー１１ａの操作により、室内機２０に指示データ等を送信するためのリモコン側送信部１４と、室内機２０からの故障データを受信するためのリモコン側受信部１３と、これらの複数の操作キー１１ａの内には、リモコン側送信部１４から故障コード表示要求信号を送信するための点検キー１１ｂと、表示部１２ａの表示が切換えられるように制御を行う制御部１５とから構成されている。
【先行技術文献】
【特許文献】
【０００６】
【特許文献１】特開２００１−９１０３３号公報
【発明の概要】
【発明が解決しようとする課題】
【０００７】
しかしながら、前記従来の空気調和機の構成では、異常発生時に、故障原因は認識することができるが、空調システムの仕様や機種名等をサービスマンに知らせることができないという課題を有していた。
【０００８】
本発明は、前記従来の課題を解決するもので、サービスマンからの問い合わせが多い、空調システムの仕様や機種名等をサービスマンにすぐ知らせるようにして、点検、修理を精度良くしかも迅速に行うことができる空気調和機を提供することを目的とする。
【課題を解決するための手段】
【０００９】
前記従来の課題を解決するために、本発明の空気調和機は、室外機を制御すると共にデータを通信線を介して室内機に送信する室外機制御部と、前記室内機を制御すると共に前
記室外機からデータを受信すると、リモコンへデータを送信する室内機制御部と、前記室内機とデータを送・受信するリモコン制御部と、前記リモコンに設けられると共に使用者によって操作される仕様確認手段と、表示部とを備え、前記室外機制御部と前記室内機制御部の少なくともいずれか一方に、空調システムの仕様、前記室外機や前記室内機の機種名、型番などの仕様情報を予め記憶させておき、前記仕様確認手段を操作すると前記表示部に前記仕様情報を表示させるようにしたもので、サービスマンが点検や修理を行う際に、仕様確認手段を操作すると、その空調システムの仕様や、室内機、室外機の機種名等をすぐ知ることができるので、空調システムの仕様や機種名等の問い合わせを低減して、点検、修理を精度良くしかも迅速に行うことができる。
【発明の効果】
【００１０】
本発明の空気調和機は、サービスマンが知りたい情報を直ぐに知らせることができ、サービスマンからの問い合わせが多い、空調システムの仕様や機種名等の問い合わせを低減し、点検、修理を精度良くしかも迅速に行うことができる。
【図面の簡単な説明】
【００１１】
【図１】本発明の実施の形態１における空気調和機の構成ブロック図
【図２】本発明の実施の形態２における空気調和機の構成ブロック図
【図３】従来の空気調和機の構成ブロック図
【発明を実施するための形態】
【００１２】
第１の発明は、室外機を制御すると共にデータを通信線を介して室内機に送信する室外機制御部と、前記室内機を制御すると共に前記室外機からデータを受信すると、リモコンへデータを送信する室内機制御部と、前記室内機とデータを送・受信するリモコン制御部と、前記リモコンに設けられると共に使用者によって操作される仕様確認手段と、表示部とを備え、前記室外機制御部と前記室内機制御部の少なくともいずれか一方に、空調システムの仕様、前記室外機や前記室内機の機種名、型番などの仕様情報を予め記憶させておき、前記仕様確認手段を操作すると前記表示部に前記仕様情報を表示させるようにしたもので、サービスマンが点検や修理を行う際に、仕様確認手段を操作すると、その空調システムの仕様や、室内機、室外機の機種名等をすぐ知ることができるので、空調システムの仕様や機種名等の問い合わせを低減して、点検、修理を精度良くしかも迅速に行うことができる。
【００１３】
第２の発明は、特に、第１の発明の空気調和機のリモコンに、操作したときに、表示部に異常点検箇所を表示させるための異常点検手段を設けたもので、サービスマンが点検、修理を行う際に異常点検手段を操作すると、異常点検箇所が表示されるので、点検、修理を迅速に行うことができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の構成ブロック図を示すものである。
【００１６】
図１において、本実施の形態における空気調和機の室外機６には、室外機６を制御すると共に、室外機６の要求仕様を通信線９を介し室内機４に送信する室外機制御部７が配され、室内機４には、室内機４を制御すると共に、室外機６からのデータを受信すると、リモコン１へデータを送信する室内機制御部５が配されている。
【００１７】
本実施の形態では、空調システムの仕様や、室外機６、室内機４のそれぞれの機種名、型番などに関する仕様情報が予め室外機制御部７に配した記憶部（図示せず）に記憶されている。
【００１８】
リモコン１は、室内機４とデータを送受信するリモコン制御部３と、室内機４、室外機６の仕様や情報を知りたい時に操作すると共にリモコン１内に設けられた仕様確認手段２と、確認したい仕様内容を表示させる表示部１０とから構成されている。
【００１９】
以上のように構成された本実施の形態における空気調和機の動作、作用について以下に説明する。
【００２０】
まずリモコン１内に設けられた仕様確認手段２を操作すると、リモコン制御部３が仕様確認項目を受信し、無線電波８を介して、室内機４に設けられた室内機制御部５に要求データを送信する。その要求データが、室外機６の要求データであれば、通信線９を介して室外機６に設けられた室外機制御部７へ送信する。
【００２１】
室外機６の室外機制御部７にデータ要求があれば、室外機制御部７は、通信線９を介し室内機４の室内機制御部５に、予め記憶されていた空調システムの仕様や、室外機６、室内機４のそれぞれの機種名、型番などの仕様情報を送信する。室内機４の室内機制御部５がデータを受信すると、リモコン１のリモコン制御部３にデータを送信し、リモコン制御部３は、表示部１０にデータを送信し、表示部１０に要求された仕様情報を表示させる。
【００２２】
以上のように本実施の形態においては、仕様確認手段２を操作することで、サービスマンが知りたい空調システムの仕様や機種名等といった仕様情報をすぐ提供できるので、点検、修理を精度良くしかも迅速に行うことができる。
【００２３】
なお、上記実施の形態では、空調システムの仕様や、室外機６、室内機４のそれぞれの機種名、型番などの仕様情報を予め室外機制御部７に配した記憶部（図示せず）に記憶させたが、室内機制御部５の記憶部（図示せず）に記憶させても良い。
【００２４】
（実施の形態２）
図２は、本発明の第２の実施の形態における空気調和機の構成ブロック図である。なお、上記実施の形態１における空気調和機の構成と同一部分には、同一符合を用いてその説明を省略する。
【００２５】
図２において、室外機６には、室外機６を制御すると共に室外機６の要求仕様を通信線９を介し室内機４に送信する室外機制御部７が配され、室内機４には、室内機４を制御すると共に室外機６からのデータを受信すると、リモコン１へデータを送信する室内機制御部５が配されている。
【００２６】
リモコン１は、室内機４とデータを送受信するリモコン制御部３と、室内機４、室外機６の仕様や情報を知りたい時に操作する仕様確認手段２と、確認したい仕様内容を表示させる表示部１０と、異常発生時にサービスマンが異常点検箇所を確認できる異常点検手段１８とから構成されている。
【００２７】
以上のように構成された本実施の形態における空気調和機の動作、作用を説明する。
【００２８】
まず、空気調和機の室外機６に異常が発生すると、室外機６の室外機制御部７が通信線９を介して室内機４に設けられた室内機制御部５に異常データを送信し、異常データを受信した室内機制御部５は、リモコン１のリモコン制御部３に異常データを送信する。
【００２９】
異常データを受信したリモコン制御部３は、表示部１０に異常コードを送信し、表示部１０が異常コードを表示する。そして、異常発生時に駆けつけたサービスマンが異常点検手段１８を操作すると、リモコン制御部３が、異常コードに応じた異常点検箇所を表示部１０に表示させる。
【００３０】
以上のように本実施の形態においては、異常が発生すると、サービスマンがリモコン１内に設けられた異常点検手段１８を操作することで、異常コードに応じた異常点検箇所が表示部１０に表示されるので、サービスマンが点検箇所をすぐに特定でき、迅速な点検、修理対応ができる。
【産業上の利用可能性】
【００３１】
以上のように、本発明にかかる空気調和機はサービスマンの知りたい仕様情報等を表示することができ、異常発生時にもサービスマンの対応が迅速かつ容易となるので、リモコンおよび製品本体を有する電気装置全般に広く適用できる。
【符号の説明】
【００３２】
１  リモコン
２  仕様確認手段
３  リモコン制御部
４  室内機
５  室内機制御部
６  室外機
７  室外機制御部
８  無線電波
９  通信線
１０  表示部
１８  異常点検手段
【図１】
2013002725.tif 000003
【図２】
2013002725.tif 000004
【図３】
2013002725.tif 000005